(57)【特許請求の範囲】
【請求項１】
複数の送電線回路ユニットと複数の変圧器回路ユニットとで構成される複数のユニットが母線で結合され、断路器により上記母線が区分されるようにしたガス絶縁開閉層装置において、上記断路器により区分された第１の母線または第２の母線には電圧測定用の母線電圧測定回路が接続され、上記第１の母線または上記第２の母線の伸長方向の端部に上記母線電圧測定回路の計器用変圧器用容器を設置したことを特徴とするガス絶縁開閉装置。
【請求項２】
上記断路器により区分された上記第１の母線と上記第２の母線が並列に配置されたことを特徴とする請求項１記載のガス絶縁開閉装置。
【請求項３】
上記断路器により区分された上記第１の母線と上記第２の母線が上部と下部に配置されたことを特徴とする請求項１記載のガス絶縁開閉装置。
【請求項４】
上記母線を区分する上記断路器に隣接して上記計器用変圧器用容器が配置されたことを特徴とする請求項１ないし３のいずれか１項に記載のガス絶縁開閉装置。
【請求項５】
上記母線を区分する上記断路器が複数配置され、これら複数の断路器は直列に接続されていることを特徴とする請求項１ないし４のいずれか１項に記載のガス絶縁開閉装置。
【請求項６】
上記第１の母線には第１の計器用変圧器用容器が配置され、上記第２の母線には上記第１の計器用変圧器用容器と反対側に第２の計器用変圧器用容器が配置され、上記第２の母線の上部又は下部に位置された第１の母線の端部には上記第１の計器用変圧器用容器が配置され、上記第２の母線の端部には上記第２の計器用変圧器用容器が配置されたことを特徴とする請求項１ないし５のいずれか１項に記載のガス絶縁開閉装置。
【請求項７】
上記複数のユニットが複数の送電線回路ユニットと複数の変圧器回路ユニットとで構成され、それぞれが母線で結合され、上記複数の送電線回路ユニット間の母線が母線区分断路器で区分されるようにしたガス絶縁開閉装置において、上記母線に隣り合って接続されている上記送電線回路ユニット間を第１及び第２の母線に区分する母線断路器を有する変圧器回路ユニット、上記第１の母線が収納配列された第１の母線配列部及び上記第１の母線配列部の上部又は下部に一部が配置され上記第２の母線が収納配列された第２の母線配列部を備え、上記第１及び第２の母線配列部が一体に連設されていることを特徴とする請求項１ないし６のいずれか１項に記載のガス絶縁開閉装置。
【請求項８】
第１の母線には電圧測定用の母線電圧測定回路が接続されており、第２の母線配列部の上部又は下部に位置された第１の母線配列部の端部には、上記母線電圧測定回路の計器用変圧器用容器が一体に連設されていることを特徴とする請求項１ないし７のいずれか１項に記載のガス絶縁開閉装置。
【請求項９】
複数の送電線回路ユニットと複数の変圧器回路ユニットとが母線で結合され、上記複数の送電線回路ユニット間の母線が断路器で区分されるようにしたガス絶縁開閉装置において、上記母線に隣り合って接続されている上記送電線回路ユニット間を第１及び第２の母線に区分する相互に直列接続された２個の断路器を有する変圧器回路ユニット、この変圧器回路ユニットを上記第１及び第２の母線間に並列に設け、上記第１の母線が収納配列された第１の母線配列部及び上記第１の母線配列部の上部又は下部に一部が配置され上記第２の母線が収納配列された第２の母線配列部を備え、上記第１の母線には電圧測定用の第１の母線電圧測定回路が接続され、上記第２の母線には電圧測定用の第２の母線電圧測定回路が接続されており、上記第２の母線配列部の上部又は下部に位置された上記第１の母線配列部の端部には上記第１の母線電圧測定回路の第１の計器用変圧器用容器が、上記第２の母線配列部の端部には上記第２の母線電圧測定回路の第２の計器用変圧器用容器がそれぞれ一体に連設されていることを特徴とするガス絶縁開閉装置。
【発明の詳細な説明】
【０００１】
【発明の属する技術分野】
この発明は、配電用変電所等に適用される単母線方式の回路構成で、ユニット数を減らして据え付け面積を小さくし、輸送や現地据え付けに伴う費用の低減を図ったガス絶縁開閉装置に関する。
【０００２】
【従来の技術】
図１２は、従来の母線区分断路器を有するガス絶縁開閉装置の構成を示す単線結線図である。図１２において、５０，６０は２回線の送電線回線ユニットであり、それぞれ、ケーブル接続部ＣＨＤ１、線路断路器ＤＳ１、母線断路器ＤＳ２、ガス遮断器ＧＣＢ１及び接地開閉器ＥＳ１，ＥＳ２，ＥＳ３で構成されている。  また、１０，２０，３０は３回線の変圧器回線ユニットであり、それぞれ、母線断路器ＤＳ３、ガス遮断器ＧＣＢ２、接地開閉器ＥＳ４，ＥＳ５、及びケーブル接続部ＣＨＤ２で構成されている。
７０は母線電圧測定回路であり、母線用計器用変圧器ＰＴ１と母線用接地開閉器ＥＳ６で構成されている。そして、母線区分用断路器ＤＳ４，ＤＳ５で母線ＢＵＳがＢＵＳ１，ＢＵＳ２，ＢＵＳ３の三つの母線に分割でき、母線ＢＵＳ１には送電線回線ユニット５０と変圧器回線ユニット１０が、母線ＢＵＳ２には変圧器回線ユニット２０と母線電圧測定回路７０が、母線ＢＵＳ３には送電線回線ユニット６０と変圧器回線ユニット３０が、それぞれ接続された構成となっている。
【０００３】
次に、本ガス絶縁開閉装置の各機器の配置構成について説明する。図１３は、従来のガス絶縁開閉装置の平面図、図１４は、図１３の正面図、図１５は、図１４のXV-XV 方向に見た断面側面図である。図１３，１４において、変圧器回線ユニット１０，２０，３０の構成機器は、それぞれ一体に連結されたケーブル接続用容器２，遮断器用容器４，制御箱３上の母線接続用容器５内に分けて収納（図示せず）されており、送電線回線ユニット５０，６０の構成機器も同様に、それぞれ一体に連結されたケーブル接続用容器５２，遮断器用容器５４，制御箱５３上の母線接続用容器５５内に分けて収納（図示せず）されている。母線区分用断路器ＤＳ４は、架台１１上の母線区分断路器用容器１２内に収納され、母線区分用断路器ＤＳ５は、架台１１上の母線区分断路器用容器１３内に母線用接地開閉器ＥＳ６と接続されて収納されており、母線接続用容器１３の裏面側の側面には水平方向に計器用変圧器用容器１４が連結されて計器用変圧器ＰＴ１が収納され、母線用接地開閉器ＥＳ６と接続されている（いずれも図示せず）。そして、上記変圧器回線ユニット１０，２０，３０、送電線回線ユニット５０，６０の各収納容器、母線接続用容器１２及び母線接続用容器１３は図示のように、横一列に配置され母線ＢＵＳが収納された母線用容器１５で連結されている。なお、図１５は、変圧器回線ユニット２０の収納容器である、架台１，接地開閉器ＥＳ５及びケーブル接続部ＣＨＤ２が収納されたケーブル接続用容器２，制御箱３，ガス遮断器ＧＣＢ２が収納された遮断器用容器４，母線断路器ＤＳ３及び接地開閉器ＥＳ４が収納（いずれも図示せず）された母線接続用容器５の構成を示す側面断面図であり、送電線回線ユニット５０，６０の収納容器は、ケーブル接続用容器２に接地開閉器ＥＳ２，ＥＳ１，線路断路器ＤＳ１及びケーブル接続部１が収納されている構成であり、他は同様の構成となっている。
なお、図１３〜１５中、引き出し線を点線で示したものは、その符号の構成部品がそこの容器に収納されていることを示している。以下同じ。
【０００４】
【発明が解決しようとする課題】
従来の母線区分用断路器を有する単母線式ガス絶縁開閉装置においては、以上のように、送電線回線及び変圧器回線を１回線毎に１ユニットの構成とする他、母線区分用断路器もそれぞれ単独で１ユニット構成としているため、開閉装置全体として大きな据え付け面積を要すると言う問題があり、更に、ユニット数が多いことから、機器の輸送に伴う作業並びに費用が大幅に増加するのみならず、ユニット間のレベル出し等の現地据え付け作業に多大の時間を要すると言う問題もあった。
【０００５】
この発明は、以上のような問題点を解消するためになされたもので、回路機能を損なうことなくユニット数の少ない、開閉装置全体の据え付け面積が小さなガス絶縁開閉装置を提供することを目的とする。
【０００６】
【課題を解決するための手段】
この発明に係わるガス絶縁開閉装置は、複数の送電線回路ユニットと複数の変圧器回路ユニットとで構成される複数のユニットが母線で結合され、断路器により上記母線が区分されるようにしたガス絶縁開閉層装置において、上記断路器により区分された第１の母線または第２の母線には電圧測定用の母線電圧測定回路が接続され、上記第１の母線または上記第２の母線の伸長方向の端部に上記母線電圧測定回路の計器用変圧器用容器を設置したことを特徴とするガス絶縁開閉装置。
【０００７】
また、複数の送電線回路ユニットと複数の変圧器回路ユニットとが母線で結合され、上記複数の送電線回路ユニット間の母線が断路器で区分されるようにしたガス絶縁開閉装置において、上記母線に隣り合って接続されている上記送電線回路ユニット間を第１及び第２の母線に区分する相互に直列接続された２個の断路器を有する変圧器回路ユニット、この変圧器回路ユニットを上記第１及び第２の母線間に並列に設け、上記第１の母線が収納配列された第１の母線配列部及び上記第１の母線配列部の上部又は下部に一部が配置され上記第２の母線が収納配列された第２の母線配列部を備え、上記第１の母線には電圧測定用の第１の母線電圧測定回路が接続され、上記第２の母線には電圧測定用の第２の母線電圧測定回路が接続されており、上記第２の母線配列部の上部又は下部に位置された上記第１の母線配列部の端部には上記第１の母線電圧測定回路の第１の計器用変圧器用容器が、上記第２の母線配列部の端部には上記第２の母線電圧測定回路の第２の計器用変圧器用容器がそれぞれ一体に連設されていることを特徴とするガス絶縁開閉装置。
【０００８】
【発明の実施の形態】
実施の形態１．
以下、この発明の一実施の形態のガス絶縁開閉装置を図に基づいて説明する。
図１は、この発明の実施の形態１である母線区分断路器を有するガス絶縁開閉装置の構成を示す単線結線図である。なお、各図中、同一符号は従来例におけるものと同一又は同等のものを示す。図１において、３回線の変圧器回線ユニット１０，１２０，３０の内、中央の変圧器回線ユニット１２０は、母線断路器ＤＳ３、ガス遮断器ＧＣＢ２、接地開閉器ＥＳ４，ＥＳ５、及びケーブル接続部ＣＨＤ２で構成されると共にこの母線断路器ＤＳ３で従来の母線区分断路器ＤＳ５
（図示せず）も兼ねさせ、この母線断路器ＤＳ３の一方端子を母線ＢＵＳ２に、他方端子を母線ＢＵＳ３に接続する構成としている。母線ＢＵＳは、母線区分断路器ＤＳ４で区分された母線ＢＵＳ１，ＢＵＳ２と変圧器回線ユニット１２０用母線断路器ＤＳ３の上記他方端子が接続された母線ＢＵＳ３とで構成され、母線ＢＵＳ１には送電線回線ユニット５０と変圧器回線ユニット１０が、母線ＢＵＳ２には変圧器回線ユニット１２０が、母線ＢＵＳ３には送電線回線ユニット６０、変圧器回線ユニット３０及び変圧器回線ユニット１２０がそれぞれ接続されて２回線の送電線回線ユニットと３回線の変圧器回線ユニットを持つガス絶縁開閉装置となっている。
【０００９】
そして、送電線回線ユニット６０と変圧器回線ユニット３０が将来の増設ユニットとなる場合は、変圧器回線ユニット１２０の母線断路器ＤＳ３を切状態にしておいて、送電線回線ユニット６０の母線断路器ＤＳ２と変圧器回線ユニット３０の母線断路器ＤＳ３とを接続した後、変圧器回線ユニット１２０の母線断路器ＤＳ３、送電線回線ユニット６０の母線断路器ＤＳ２及び変圧器回線ユニット３０の母線断路器ＤＳ３を入操作し、次いで送電線回線ユニット６０のガス遮断器ＧＣＢ１及び変圧器回線ユニット３０のガス遮断器ＧＣＢ２を投入することにより、母線ＢＵＳ１，ＢＵＳ２に繋がる各ユニット５０，１０，１２０の回路を停電させることなく増設ユニット６０，３０を母線ＢＵＳ３へ投入できる。
【００１０】
次に、ガス絶縁開閉装置の各機器の配置構成について説明する。図２は、本実施の形態１のガス絶縁開閉装置の平面図、図３は、図２の正面図、図４は、図３のIV-IV 方向に見た断面側面図、図５は、図３のV-V 方向に見た断面側面図である。図２，３において、変圧器回線ユニット１０、送電線回線ユニット５０及び母線区分用断路器ＤＳ４の構成と配置は従来装置におけると同じである。変圧器回線ユニット１２０の構成機器は、図３、図４に示すように、架台１上のケーブル接続用容器２に接地開閉器ＥＳ５及ケーブル接続部ＣＨＤ２が、遮断器用容器４にガス遮断器ＧＣＢ２が、上部の母線接続用容器５に母線断路器ＤＳ３及び接地開閉器ＥＳ４がそれぞれ収納（いずれも図示せず）され、制御箱３と母線接続用容器５間に生じた空間に下部の母線接続用容器５を設けて母線ＢＵＳ２及び母線用接地開閉器ＥＳ６が，下部の母線接続用容器５の正面から見た右側面に計器用変圧器用容器１４を設けて計器用変圧器ＰＴ１がそれぞれ収納（いずれも図示せず）され、各容器２，４，５，１４は図示のように一体に連結されている。
また、送電線回線ユニット６０の構成機器は、図５に示すように、架台５１上のケーブル接続用容器５２に接地開閉器ＥＳ１，ＥＳ２、線路断路器ＤＳ１及びケーブル接続部ＣＨＤ１が、遮断器用容器５４にガス遮断器ＧＣＢ１が、母線接続用容器５５に母線断路器ＤＳ２及び接地開閉器ＥＳ３がそれぞれ収納（いずれも図示せず）され、各容器５２，５４，５５は図示のように一体に連結されている。そして、制御箱５３と母線接続用容器５５間に生じた空間には上記計器用変圧器用容器１４がオーバーハング状に納められている。なお、送電線回線ユニット３０の構成機器を収納する容器の構成は、送電線回線ユニット６０のものと同じである。
【００１１】
即ち、本実施の形態１におけるガス絶縁開閉装置は、母線ＢＵＳを３分割するに当たり、変圧器回線ユニット１２０を構成する母線断路器ＤＳ３に母線区分断路器としての機能も持たせるように回路を構成して母線区分断路器の数を減らすと共に、送電線ユニット５０，６０，変圧器回線ユニット１０，１２０，３０及び母線区分用断路器ＤＳ４の各収納容器を横一列に隣接配置し、送電線ユニット５０，変圧器回線ユニット１０，１２０，母線区分用断路器ＤＳ４及び計器用変圧器ＰＴ１の各容器を母線ＢＵＳ１又はＢＵＳ２が収納された母線用容器１５で一体に連結して第１の母線配列部１６を構成し、送電線ユニット６０及び変圧器回線ユニット１２０，３０の各容器を母線ＢＵＳ３が収納された母線用容器１５で一体に連結して第２の母線配列部１７を構成し上記第１の母線配列部１６の上部に配置した点に特徴がある。以上の構成としたことにより、開閉装置としての機能を損なうことなく、ユニット数を減らせて、据え付け面積の小さい、安価なガス絶縁開閉装置が得られる。
【００１２】
実施の形態２．
以下、この発明の実施の形態２のガス絶縁開閉装置を図に基づいて説明する。図６は、この発明の実施の形態２であるガス絶縁開閉装置の構成を示す単線結線図である。図６において、母線ＢＵＳには４回線の変圧器回線ユニット１０，１７０，１８０，３０が設けられており、中央の変圧器回線ユニット１７０，１８０は、それぞれ２個の母線断路器ＤＳ３、ガス遮断器ＧＣＢ２、接地開閉器ＥＳ４，ＥＳ５、及びケーブル接続部ＣＨＤ２で構成されており、各２個の母線断路器ＤＳ３の内の一方は母線ＢＵＳ１に接続され、他方は母線ＢＵＳ３に接続され、それぞれ共通して各自ユニットのガス遮断器ＧＣＢ２の端子に接続されている。これら２個の母線断路器ＤＳ３に従来の母線区分断路器ＤＳ４，ＤＳ５（図示せず）も兼ねさせ、母線ＢＵＳを母線ＢＵＳ１，ＢＵＳ３に区分できるようにしている。そして、母線ＢＵＳ１には送電線ユニット５０と変圧器回線ユニット１０，１７０，１８０が、母線ＢＵＳ３には送電線ユニット６０と変圧器回線ユニット３０，１７０，１８０がそれぞれ接続され、変圧器回線ユニット１７０，１８０は、上記のように２個の母線断路器ＤＳ３の一方を母線ＢＵＳ１に、他方をＢＵＳ３に接続して、母線ＢＵＳ１，ＢＵＳ３のいずれかに選択的に接続できるようになっている。また、母線用計器用変圧器ＰＴ１及び母線用接地開閉器ＥＳ６で構成された母線電圧測定回路７０，８０が、それぞれ母線ＢＵＳ１，ＢＵＳ３に接続されている。
【００１３】
そして、送電線回線ユニット６０と変圧器回線ユニット３０が将来の増設ユニットとなる場合は、変圧器回線ユニット１７０，１８０の母線ＢＵＳ３に接続された母線断路器ＤＳ３を切状態にしておいて、送電線回線ユニット６０の母線断路器ＤＳ２と変圧器回線ユニット３０の母線断路器ＤＳ３とを接続した後、変圧器回線ユニット１７０，１８０の母線ＢＵＳ３に接続された母線断路器ＤＳ３、送電線回線ユニット６０の母線断路器ＤＳ２と変圧器回線ユニット３０の母線断路器ＤＳ３とを入操作し、次いで送電線回線ユニット６０のガス遮断器ＧＣＢ１及び変圧器回線ユニット３０のガス遮断器ＧＣＢ２を投入することにより、母線ＢＵＳ１に繋がる各ユニット５０，１０，１７０，１８０の回路を停電させることなく増設ユニット６０，３０を母線ＢＵＳ３へ投入できる。
本実施の形態２においては、変圧器回線ユニット１７０，１８０の両方の母線断路器ＤＳ３に母線ＢＵＳの区分機能を持たせたことにより、変圧器回線ユニット１７０，１８０のいずれか一方が故障した場合でも、以上の投入動作を支障なく行える利点がある。
【００１４】
次に、ガス絶縁開閉装置の各機器の配置構成について説明する。図７は、本実施の形態２のガス絶縁開閉装置の平面図、図８は、図７の正面図、図９は、図８のIX-IX 方向に見た断面側面図である。図７，図８において、変圧器回線ユニット１０，３０及び送電線回線ユニット５０，６０の構成は実施の形態１のものと同じである。変圧器回線ユニット１７０，１８０は、上記のようにそれぞれ母線断路器ＤＳ３を２個持っており、その遮断器用容器４の正面側に上下に２ケ所設けた母線接続用容器５にそれぞれ収納されている。また、図８，図９に示すように、架台１に２個の計器用変圧器用容器１４が積み重ねて設けられ、各容器１４の正面には母線接続用容器５が結合されており、それぞれ計器用変圧器用容器１４には計器用変圧器ＰＴ１が、上部の母線接続用容器５では母線用接地開閉器ＥＳ６が母線ＢＵＳ３に接続され、下部の母線接続用容器５では母線用接地開閉器ＥＳ６が母線ＢＵＳ１に接続されて収納されている。そして、送電線回線ユニット５０，６０、変圧器回線ユニット１０，３０，１７０，１８０及び母線電圧測定回路７０，８０の各収納容器を横一列に隣接配置し、送電線回線ユニット５０、変圧器回線ユニット１０，１７０，１８０及び母線電圧測定回路７０の下部の各収納容器を母線ＢＵＳ１が収納された母線用容器１５で一体に連結して第１の母線配列部１６を構成し、送電線回線ユニット６０、変圧器回線ユニット３０，１７０，１８０及び母線電圧測定回路７０の上部の各収納容器を母線ＢＵＳ３が収納された母線用容器１５で一体に連結して第２の母線配列部１７を構成し上記第１の母線配列部１６の上部に配置した点に特徴がある。以上の構成としたことにより、開閉装置としての機能を損なうことなく、母線区分専用の断路器を不要にでき、据え付け面積の小さい、安価なガス絶縁開閉装置が得られる。
【００１５】
実施の形態３．
以下、この発明の実施の形態３のガス絶縁開閉装置を図に基づいて説明する。なお、本実施の形態３のガス絶縁開閉装置の単線結線図は、実施の形態２におけるものと同じである。図１０は、この発明の実施の形態３のガス絶縁開閉装置の各機器の配置構成を示す平面図、図１１は、図１０の正面図である。図において、変圧器回線ユニット１０，１７０，１８０，３０及び送電線回線ユニット５０，６０の構成は、実施の形態２におけるものと同じである。本実施の形態３における特徴点は、母線電圧測定回路８０の計器用変圧器用容器１４を第２の母線配列部１７の端部に位置する変圧器回線ニット１７０の上部の母線接続用容器５の端部（送電線回線ユニット５０の単母線配列部１７の上部の空間）に配置して母線接続用容器５に連結し、送電線回線ユニット６０と変圧器回線ユニット１８０とを隣接配置して、送電線回線ユニット６０の上部母線接続用容器５の下の空間に母線電圧測定回路７０の計器用変圧器用容器１４を配置し、第１の単母線配列部１６の端部に位置する変圧器回線ニット１８０の下部母線接続用容器５の端部に連結したことである。この配置構成としたことにより、装置全体を更にコンパクトにでき、据え付け面積の小さい、安価なガス絶縁開閉装置が得られる。
【００１６】
【発明の効果】
この発明は以上のように構成したので、以下に示す効果を奏する。
複数の送電線回線ユニットと複数の変圧器回線ユニットが接続された単母線を区分する母線区分断路器の機能を、接続された変圧器回線ユニット内の母線断路器に兼ねさせるように回路を構成すると共に各ユニットの配置を合理化したので、回路の機能を損なうことなくユニット数が低減でき、装置全体の据え付け面積が小さい、安価なガス絶縁開閉装置が得られる。
【図面の簡単な説明】
【図１】  この発明の実施の形態１のガス絶縁開閉装置の単線結線図である。
【図２】  この発明の実施の形態１のガス絶縁開閉装置の平面図である。
【図３】  図２の正面図である。
【図４】  図３のIV-IV 方向に見た断面側面図である。
【図５】  図３のV-V 方向に見た断面側面図である。
【図６】  この発明の実施の形態２のガス絶縁開閉装置の単線結線図である。
【図７】  この発明の実施の形態２のガス絶縁開閉装置の平面図である。
【図８】  図７の正面図である。
【図９】  図８のIX-IX 方向に見た断面側面図である。
【図１０】  この発明の実施の形態３のガス絶縁開閉装置の平面図である。
【図１１】  図１０の正面図である。
【図１２】  従来のガス絶縁開閉装置の単線結線図である。
【図１３】  従来のガス絶縁開閉装置の平面図である。
【図１４】  図１３の正面図である。
【図１５】  図１４のXV-XV 方向に見た断面側面図である。
【符号の説明】
１０，３０，１２０，１７０，１８０  変圧器回線ユニット、
１４  計器用変圧器用容器、１６  第１の母線配列部、
１７  第２の母線配列部、５０，６０  送電線回線ユニット
７０，８０  母線電圧測定回路、
ＢＵＳ，ＢＵＳ１，ＢＵＳ３  母線、ＤＳ３  母線断路器。
【図１】
0004435318.tif 000002
【図２】
0004435318.tif 000003
【図３】
0004435318.tif 000004
【図４】
0004435318.tif 000005
【図５】
0004435318.tif 000006
【図６】
0004435318.tif 000007
【図７】
0004435318.tif 000008
【図８】
0004435318.tif 000009
【図９】
0004435318.tif 000010
【図１０】
0004435318.tif 000011
【図１１】
0004435318.tif 000012
【図１２】
0004435318.tif 000013
【図１３】
0004435318.tif 000014
【図１４】
0004435318.tif 000015
【図１５】
0004435318.tif 000016